(57)【要約】【課題】指定された表示倍率に応じて適切なプレビュー画像を表示できるようにする。【解決手段】画像処理装置は、第１の色空間の画像データを第２の色空間の画像データに変換する色補正部１７と、第２の色空間の画像データに対して印刷用の中間調処理を施す階調再現処理部２１と、階調再現処理部２１の処理を経た画像データをカラー画像表示装置４にて表示するための表示用の色空間の画像データに変換し、所定値以上の表示倍率が指定された場合に、前記表示用の色空間の画像データを表示用の画像データとして出力する表示用変換処理部２２と、第１の色空間の画像データに対してカラー画像表示装置４にて表示するための表示用の中間調処理を施し、所定値未満の表示倍率が指定された場合に、前記表示用の中間調処理を経た画像データを表示用の画像データとして出力する表示用階調再現処理部２５とを備える。【選択図】図１
2010028477.tif 000002
【特許請求の範囲】
【請求項１】
第１の色空間の画像データを第２の色空間の画像データに変換する色空間変換部と、
前記第２の色空間の画像データに対して印刷装置にて印刷するための印刷用の中間調処理を施す印刷用階調再現処理部とを備えている画像処理装置において、
前記印刷用階調再現処理部の処理を経た画像データを画像表示装置にて表示するための表示用の色空間の画像データに変換するとともに、前記画像表示装置での表示倍率として所定値以上の表示倍率が指定された場合に、前記表示用の色空間の画像データを表示用の画像データとして出力する表示用変換処理部と、
前記第１の色空間の画像データに対して前記画像表示装置にて表示するための表示用の中間調処理を施すとともに、前記画像表示装置での表示倍率として所定値未満の表示倍率が指定された場合に、前記表示用の中間調処理を経た画像データを表示用の画像データとして出力する表示用階調再現処理部とを備えていることを特徴とする画像処理装置。
【請求項２】
前記表示用変換処理部にて処理された画像データ、および前記表示用階調再現処理部にて処理される画像データに対して、指定された前記表示倍率による変倍処理を行う表示用変倍処理部を備え、
前記表示用変倍処理部は、指定された表示倍率が前記所定値以上の場合に、前記画像データの濃度値および前記画像データに含まれるデータ間の距離を維持した第１の補間処理を行う一方、指定された表示倍率が前記所定値未満の場合に、前記画像データにおける階調の滑らかさを維持する第２の補間処理を行うことを特徴とする請求項１に記載の画像処理装置。
【請求項３】
前記第１の補間処理はニアレストネイバー法による補間処理であり、前記第２の補間処理はバイリニア法もしくはバイキュービック法による補間処理であることを特徴とする請求項２に記載の画像処理装置。
【請求項４】
請求項１から３のいずれか１項に記載の画像処理装置を備えるとともに、前記印刷装置を備えていることを特徴とする画像形成装置。
【請求項５】
前記画像表示装置を備えるとともに、前記画像表示装置の前段に、前記表示用の画像データに対して前記画像表示装置の表示特性に応じた階調補正処理を行う表示用出力階調補正部を備えていることを特徴とする請求項４に記載の画像形成装置。
【請求項６】
画像表示装置を有する端末装置と、画像データに基づいて印刷を行う印刷装置を有する画像形成装置とを備え、これら端末装置と画像形成装置とが通信により情報の送受信を行うとともに、
前記画像形成装置の印刷装置は、前記端末装置から受信した第１の色空間の画像データを第２の色空間の画像データに変換する色空間変換部と、
前記第２の色空間の画像データに対して印刷するための印刷用の中間調処理を施す印刷用階調再現処理部とを備えている画像形成システムにおいて、
前記端末装置は、表示用変換処理部と表示用階調再現処理部とを備え、前記画像形成装置に対して第１の色空間の画像データを送信し、前記画像形成装置は、前記端末装置から受信し、前記印刷装置の階調再現処理部にて処理した画像データを前記端末装置に送信し、
前記端末装置の表示用変換処理部は、前記印刷用階調再現処理部の処理を経た画像データを画像表示装置にて表示するための表示用の色空間の画像データに変換するとともに、前記画像表示装置での表示倍率として所定値以上の表示倍率が指定された場合に、前記表示用の色空間の画像データを表示用の画像データとして出力し、
前記端末装置の表示用階調再現処理部は、前記第１の色空間の画像データに対して前記画像表示装置にて表示するための表示用の中間調処理を施すとともに、前記画像表示装置での表示倍率として所定値未満の表示倍率が指定された場合に、前記表示用の中間調処理を経た画像データを表示用の画像データとして出力することを特徴とする画像形成システム。
【請求項７】
第１の色空間の画像データを第２の色空間の画像データに変換する色空間変換工程と、  前記第２の色空間の画像データに対して印刷装置にて印刷するための印刷用の中間調処理を施す印刷用階調再現処理工程とを備えている画像処理方法において、
前記印刷用階調再現処理工程の処理を経た画像データを画像表示装置にて表示するための表示用の色空間の画像データに変換するとともに、前記画像表示装置での表示倍率として所定値以上の表示倍率が指定された場合に、前記表示用の色空間の画像データを表示用の画像データとして出力する表示用変換処理工程と、
前記第１の色空間の画像データに対して前記画像表示装置にて表示するための表示用の中間調処理を施すとともに、前記画像表示装置での表示倍率として所定値未満の表示倍率が指定された場合に、前記表示用の中間調処理を経た画像データを表示用の画像データとして出力する表示用階調再現処理工程とを備えていることを特徴とする画像処理方法。
【請求項８】
請求項１から３のいずれか１項に記載の画像処理装置の前記の各部としてコンピュータを機能させるためのプログラム。
【請求項９】
請求項８に記載のプログラムを記録したコンピュータ読取り可能な記録媒体。
【発明の詳細な説明】
【技術分野】
【０００１】
本発明は、例えば、画像データの印刷に際して、プレビュー表示のためのプレビュー画像を作成する画像処理方法、画像処理装置、画像形成装置、プログラムおよび記録媒体に関するものである。
【背景技術】
【０００２】
近年、カラー画像を高画質に再現するフルカラーのデジタル複写機が製品化されている。このようなデジタル複写機には、画像表示装置を備え、画像形成されて出力される印刷物を使用者が事前に確認できるように、上記画像表示装置にプレビュー画像を表示するものがある。
【０００３】
デジタル複写機では、上記画像表示装置にプレビュー画像を表示する場合、まずは印刷する予定の画像全体が画像表示装置に表示されるように、印刷する画像データを縮小して表示する。使用者は、このプレビュー画像を見て余白のサイズや画像全体あるいは下地の濃さなどを確認し、印刷条件を操作パネルからの入力指示により調整することができる。上記画像表示装置は操作パネルを含んでいてもよい。
【０００４】
なお、画像表示装置は、装置の機種によって１画素での出力可能な階調数が異なる。最近では、ＲＧＢの各成分それぞれについて２５６階調出力できるものがある一方、現在でも６４階調や１６階調しか出力できないものがある。従来より、出力可能な階調数が少ない画像表示装置では、ディザ処理や誤差拡散処理などの階調再現処理により、１画素での出力可能な階調数よりも細やかな階調を再現できるようにしている。
【０００５】
ここで、印刷に際し、使用者が調整を希望する印刷条件よっては、画像の状態を詳細に確認する必要があり、その場合には、画像データの表示倍率を変更し、拡大率を高めた画像を表示させることができる。このように、印刷画像の状態を詳細に確認できるようにした従来の方法としては、下記の方法が知られている。
【０００６】
例えば、特許文献１には、印刷プレビュー画面において、印刷時のイメージの解像度と同じ解像度のイメージを見ることができる構成が記載されている。具体的には、リアル表示指示手段を備え、このリアル表示指示手段は、プリンタにおいて印刷される解像度によりプレビュー画像を表示させる指示を受け付けるようになっている。
【特許文献１】特開２００１−６３１５５（平成１３年３月１３日公開）
【発明の開示】
【発明が解決しようとする課題】
【０００７】
しかしながら、上記従来の構成では、例えばユーザが指定した画像表示装置での表示倍率に関係なく、表示する画像データに対して一律の処理が施される。このため、指定された表示倍率に応じて適切なプレビュー画像を表示することができないという問題点を有している。
【０００８】
すなわち、例えばユーザはプレビュー画像についての表示倍率を相対的に小さい値に設定する場合、プレビュー画像により印刷画像（印刷して得られる画像）における大まかな濃淡やレイアウトを確認する。一方、プレビュー画像についての表示倍率を相対的に大きい値に設定する場合、プレビュー画像により印刷画像における細部を確認する。しかしながら、例えば階調再現処理が施された画像を、相対的に小さい表示倍率にてプレビュー画像として表示した場合、離散的にドットが出力されるような部分においてドットの間隔が詰まった見難い画像となったり、また縮小処理の方法によっては表示画像に干渉縞が現れて同様に見難い画像となったりする事態を生じる。一方、階調再現処理が施されていない画像を、相対的に大きい表示倍率にてプレビュー画像として表示した場合、細部まで確認可能な良質の画像とはならない。
【０００９】
したがって、本発明は、指定された表示倍率に応じて適切なプレビュー画像を表示することができる画像処理装置、画像形成装置、画像処理方法、コンピュータプログラム及び記録媒体を提供することを目的とする。
【課題を解決するための手段】
【００１０】
上記の課題を解決するために、本発明の画像処理装置は、第１の色空間の画像データを第２の色空間の画像データに変換する色空間変換部と、前記第２の色空間の画像データに対して印刷装置にて印刷するための印刷用の中間調処理を施す印刷用階調再現処理部とを備えている画像処理装置において、前記印刷用階調再現処理部の処理を経た画像データを画像表示装置にて表示するための表示用の色空間の画像データに変換するとともに、前記画像表示装置での表示倍率として所定値以上の表示倍率が指定された場合に、前記表示用の色空間の画像データを表示用の画像データとして出力する表示用変換処理部と、前記第１の色空間の画像データに対して前記画像表示装置にて表示するための表示用の中間調処理を施すとともに、前記画像表示装置での表示倍率として所定値未満の表示倍率が指定された場合に、前記表示用の中間調処理を経た画像データを表示用の画像データとして出力する表示用階調再現処理部とを備えていることを特徴としている。
【００１１】
また、本発明の画像処理方法は、第１の色空間の画像データを第２の色空間の画像データに変換する色空間変換工程と、前記第２の色空間の画像データに対して印刷装置にて印刷するための印刷用の中間調処理を施す印刷用階調再現処理工程とを備えている画像処理方法において、前記印刷用階調再現処理工程の処理を経た画像データを画像表示装置にて表示するための表示用の色空間の画像データに変換するとともに、前記画像表示装置での表示倍率として所定値以上の表示倍率が指定された場合に、前記表示用の色空間の画像データを表示用の画像データとして出力する表示用変換処理工程と、前記第１の色空間の画像データに対して前記画像表示装置にて表示するための表示用の中間調処理を施すとともに、前記画像表示装置での表示倍率として所定値未満の表示倍率が指定された場合に、前記表示用の中間調処理を経た画像データを表示用の画像データとして出力する表示用階調再現処理工程とを備えている。
【００１２】
上記の構成によれば、表示用変換処理部（表示用変換処理工程）は、印刷用階調再現処理部（印刷用階調再現処理工程）の処理を経た第２の色空間の画像データ（ＣＭＹＫ信号）を画像表示装置にて表示するための表示用の色空間の画像データに変換するとともに、画像表示装置での表示倍率として所定値以上の表示倍率が指定された場合に、前記表示用の色空間の画像データを表示用の画像データ（例えば、ＲＧＢ信号やＹＣｒＣｂ信号、すなわち、ＲＧＢ色空間やＹＣｒＣｂ色空間の画像データ）として出力する。また、表示用階調再現処理部（表示用階調再現処理工程）は、第１の色空間の画像データ（ＲＧＢ信号）に対して画像表示装置にて表示するための表示用の中間調処理を施すとともに、画像表示装置での表示倍率として所定値未満、例えば１００％未満の表示倍率が指定された場合に、前記表示用の中間調処理を経た画像データを表示用の画像データとして出力する。なお、表示用の画像データは、必要に応じて適宜周知の処理を加えることにより、画像表示装置にプレビュー画像として表示できるものである。
【００１３】
これにより、画像表示装置にプレビュー画像として表示される画像のうち、相対的に縮小表示された画像については、印刷用の中間調処理（階調再現処理）に代えて表示用の中間調処理（階調再現処理）が行われることにより、印刷用の中間調処理（階調再現処理）を行いかつ縮小したために生じる不都合な事態、すなわち離散的にドットが出力されるような部分においてドットの間隔が詰まった見難い画像となったり、また縮小処理の方法によっては表示画像に干渉縞が現れて同様に見難い画像となったりする事態を防止することができる。したがって、本来の縮小画像の目的である、大まかな濃淡の確認やレイアウトの確認のためのプレビュー画像の表示を適切に行うことができる。一方、相対的に拡大表示された画像については、印刷用の中間調処理（階調再現処理）を行うことによって、細部まで明瞭な良質のプレビュー画像を表示することができる。したがって、プレビュー画像を拡大表示した場合に、実際に印刷を行った場合の印刷結果に近いプレビュー画像を表示することができる。これにより、指定された表示倍率に応じて適切なプレビュー画像を表示することができる。
【００１４】
上記の画像処理装置は、前記表示用変換処理部にて処理された画像データ、および前記表示用階調再現処理部にて処理される画像データに対して、指定された前記表示倍率による変倍処理を行う表示用変倍処理部を備え、前記表示用変倍処理部は、指定された表示倍率が前記所定値以上の場合に、前記画像データの濃度値および前記画像データに含まれるデータ間の距離を維持した第１の補間処理を行う一方、指定された表示倍率が前記所定値未満の場合に、前記画像データにおける階調の滑らかさを維持する第２の補間処理を行う構成としてもよい。
【００１５】
上記の画像処理装置において、前記第１の補間処理はニアレストネイバー法による補間処理であり、前記第２の補間処理はバイリニア法もしくはバイキュービック法による補間処理である構成としてもよい。
【００１６】
上記の構成によれば、第１の補間処理および第２の補間処理により、表示倍率の大小のそれぞれに適した変倍処理が行われるので、画像表示装置ではいずれの表示倍率であっても良好なプレビュー画像を表示することができる。
【００１７】
本発明の画像形成装置は、上記のいずれかの画像処理装置を備えるとともに、前記印刷装置を備えている構成としてもよい。
【００１８】
上記の構成によれば、表示倍率が所定値（例えば１００％）以上の場合には、紙などの記録媒体に印刷する場合と同様に中間調処理が施された画像データを画像表示装置に表示することができる。したがって、画像表示装置に表示された画像と記録媒体に印刷される画像との違和感を抑制した画像形成装置を提供することができる。
【００１９】
上記の画像形成装置は、前記画像表示装置を備えるとともに、前記画像表示装置の前段に、前記表示用の画像データに対して前記画像表示装置の表示特性に応じた階調補正処理を行う表示用出力階調補正部を備えている構成としてもよい。
【００２０】
本発明の画像形成システムは、画像表示装置を有する端末装置と、画像データに基づいて印刷を行う印刷装置を有する画像形成装置とを備え、これら端末装置と画像形成装置とが通信により情報の送受信を行うとともに、前記画像形成装置の印刷装置は、前記端末装置から受信した第１の色空間の画像データを第２の色空間の画像データに変換する色空間変換部と、前記第２の色空間の画像データに対して印刷するための印刷用の中間調処理を施す印刷用階調再現処理部とを備えている画像形成システムにおいて、前記端末装置は、表示用変換処理部と表示用階調再現処理部とを備え、前記画像形成装置に対して第１の色空間の画像データを送信し、前記画像形成装置は、前記端末装置から受信し、前記印刷装置の階調再現処理部にて処理した画像データを前記端末装置に送信し、前記端末装置の表示用変換処理部は、前記印刷用階調再現処理部の処理を経た画像データを画像表示装置にて表示するための表示用の色空間の画像データに変換するとともに、前記画像表示装置での表示倍率として所定値以上の表示倍率が指定された場合に、前記表示用の色空間の画像データを表示用の画像データとして出力し、前記端末装置の表示用階調再現処理部は、前記第１の色空間の画像データに対して前記画像表示装置にて表示するための表示用の中間調処理を施すとともに、前記画像表示装置での表示倍率として所定値未満の表示倍率が指定された場合に、前記表示用の中間調処理を経た画像データを表示用の画像データとして出力することを特徴としている。
【００２１】
上記の構成によれば、端末装置は、画像形成装置に対して第１の色空間の画像データを送信し、画像形成装置の印刷装置の色空間変換部は、端末装置から受信した第１の色空間の画像データを第２の色空間の画像データに変換し、印刷用階調再現処理部は、第２の色空間の画像データに対して印刷するための印刷用の中間調処理を施し、処理した画像データを端末装置に送信する。
【００２２】
端末装置の表示用変換処理部は、印刷用階調再現処理部の処理を経た画像データを画像表示装置にて表示するための表示用の色空間の画像データに変換するとともに、画像表示装置での表示倍率として所定値以上の表示倍率が指定された場合に、前記表示用の色空間の画像データを表示用の画像データとして出力する。また、端末装置の表示用階調再現処理部は、第１の色空間の画像データに対して画像表示装置にて表示するための表示用の中間調処理を施すとともに、画像表示装置での表示倍率として所定値未満の表示倍率が指定された場合に、前記表示用の中間調処理を経た画像データを表示用の画像データとして出力する。
【００２３】
これにより、画像表示装置にプレビュー画像として表示される画像のうち、相対的に縮小表示された画像については、印刷用の中間調処理（階調再現処理）に代えて表示用の中間調処理（階調再現処理）が行われることにより、印刷用の中間調処理（階調再現処理）を行いかつ縮小したために生じる不都合な事態、すなわち離散的にドットが出力されるような部分においてドットの間隔が詰まった見難い画像となったり、また縮小処理の方法によっては表示画像に干渉縞が現れて同様に見難い画像となったりする事態を防止することができる。したがって、本来の縮小画像の目的である、大まかな濃淡の確認やレイアウトの確認のためのプレビュー画像の表示を適切に行うことができる。一方、相対的に拡大表示された画像については、印刷用の中間調処理（階調再現処理）を行うことによって、細部まで明瞭な良質のプレビュー画像を表示することができる。したがって、プレビュー画像を拡大表示した場合に、実際に印刷を行った場合の印刷結果に近いプレビュー画像を表示することができる。これにより、指定された表示倍率に応じて適切なプレビュー画像を表示することができる。
【発明の効果】
【００２４】
以上のように、本発明の構成によれば、画像表示装置にプレビュー画像として表示される画像のうち、相対的に縮小表示された画像については、印刷用の中間調処理（階調再現処理）に代えて表示用の中間調処理（階調再現処理）が行われることにより、印刷用の中間調処理（階調再現処理）を行いかつ縮小したために生じる不都合な事態、すなわち離散的にドットが出力されるような部分においてドットの間隔が詰まった見難い画像となったり、また縮小処理の方法によっては表示画像に干渉縞が現れて同様に見難い画像となったりする事態を防止することができる。したがって、本来の縮小画像の目的である、大まかな濃淡の確認やレイアウトの確認のためのプレビュー画像の表示を適切に行うことができる。一方、相対的に拡大表示された画像については、印刷用の中間調処理（階調再現処理）を行うことによって、細部まで明瞭な良質のプレビュー画像を表示することができる。したがって、プレビュー画像を拡大表示した場合に、実際に印刷を行った場合の印刷結果に近いプレビュー画像を表示することができる。これにより、指定された表示倍率に応じて適切なプレビュー画像を表示することができる。
【発明を実施するための最良の形態】
【００２５】
本発明の実施の形態を図面に基づいて以下に説明する。
図１は、本発明の実施の形態における画像処理装置としてのカラー画像処理装置（画像処理装置）１を備えたデジタルカラー複合機の構成を示すブロック図である。
【００２６】
カラー画像処理装置１は、印刷する画像のプレビュー画像を作成して出力する。デジタルカラー複合機の使用者は、印刷する画像を印刷前にプレビュー表示して印刷結果を予想し、必要に応じて印刷する画像の拡大縮小率やレイアウトなどの調整を行う。これにより、プレビュー画像から予想される印刷結果が許容できるもの、あるいは満足できるものとなった場合に、印刷を実行する。
【００２７】
デジタルカラー複合機は、コピー機能、プリンタ機能、ファクシミリ機能、scan to e-mail機能等を備えている。なお、本実施の形態の画像形成装置は、このような複合機ではなく複写機であっても良い。
【００２８】
図１に示すように、デジタルカラー複合機は、カラー画像処理装置１、カラー画像入力装置２、カラー画像出力装置（印刷装置）３、カラー画像表示装置（画像表示装置）４、操作パネル５、送受信部（ハードディスク）６および制御部７を備えている。送受信部６にはパーソナルコンピュータ（ＰＣ）８が接続されている。
【００２９】
カラー画像処理装置１は、Ａ／Ｄ（アナログ／デジタル）変換部１１、シェーディング補正部１２、入力階調補正部１３、画像データ圧縮部１４、画像データ伸張部１５、領域分離処理部１６、色補正部（色空間変換部）１７、黒生成下色除去部（色空間変換部）１８、空間フィルタ処理部１９、出力階調補正部２０、階調再現処理部（印刷用階調再現処理部）２１、表示用変換処理部２２、表示用変倍処理部２３、表示用出力階調補正部２４、表示用階調再現処理部２５および選択部２６を備えている。
【００３０】
カラー画像入力装置（画像読取手段）２は、例えばＣＣＤ（Charge Coupled Device ）を備えたスキャナ部にて構成され、原稿からの反射光像をＣＣＤにより読み取って、ＲＧＢ（Ｒ：赤、Ｇ：緑、Ｂ：青）のアナログ信号として、カラー画像処理装置１に入力する。
【００３１】
カラー画像入力装置２からカラー画像処理装置１に入力されたアナログ信号は、カラー画像処理装置１内において、Ａ／Ｄ変換部１１、シェーディング補正部１２、入力階調補正部１３、画像データ圧縮部１４、画像データ伸張部１５、領域分離処理部１６、色補正部１７、黒生成下色除去部１８、空間フィルタ処理部１９、出力階調補正部２０および階調再現処理部２１の順に送られ、ＣＭＹＫのデジタルカラー信号としてカラー画像出力装置３へ出力される。なお、画像データ圧縮部１４および画像データ伸張部１５は、画像データを送受信部６のハードディスクに記録する際の記録容量の低減等のために設けられたものであり、カラー画像処理装置１において必須のものではない。
【００３２】
Ａ／Ｄ変換部１１は、ＲＧＢのアナログ信号をデジタル信号に変換し、シェーディング補正部１２は、Ａ／Ｄ変換部１１から入力されたデジタルのＲＧＢ信号に対して、カラー画像入力装置２の照明系、結像系、撮像系で生じる各種の歪みを取り除く処理を施す。
【００３３】
入力階調補正部１３は、シェーディング補正部１３にて各種の歪みが取り除かれカラーバランスが調整されたＲＧＢ信号（ＲＧＢの反射率信号）を濃度信号などのカラー画像処理装置１に採用されている画像処理システムの扱い易い信号に変換するとともに、カラーバランスの調整を行う。また、入力階調補正部１３では、下地濃度の除去やコントラストなどの画質調整処理を行う。
【００３４】
画像データ圧縮部１４は、入力階調補正部１３から入力されたＲＧＢ信号に対して圧縮処理を行い、圧縮したＲＧＢ信号のデータコードをハードディスクを有する送受信部６に引き渡す。送受信部６では、入力された信号を一旦ハードディスクに保存し、ファイリングデータとして管理する。また、送受信部６では、コピー出力動作やコンピュータ（ＰＣ）からのプリント出力動作が指示された場合、圧縮されている上記データコードをハードディスクから読み出し、画像データ伸張部１６に引き渡す。一方、イメージ送信動作が指示された場合、上記データコードをハードディスクから読み出し、ネットワーク網や通信回線を介して外部接続装置、例えばＰＣ８へ伝送する。なお、ファイリングデータの管理やデータの引渡し動作の制御については制御部７が行う。
【００３５】
画像データ伸張部１５は、圧縮されているデータコードに対して復号化処理などを施し、ＲＧＢ信号の画像データ（第１の色空間の画像データ）に伸張する。
【００３６】
領域分離処理部１６は、ＲＧＢ信号によって表される入力画像の各画素を文字領域、網点領域、写真領域を含む複数の領域に分離する。領域分離処理部１６は、分離結果に基づき、画素がどの領域に属しているかを示す領域識別信号を、黒生成下色除去部１８、空間フィルタ処理部１９、出力階調補正部２０、階調再現処理部２１および表示用階調再現処理部２５へ出力する。また、領域識別信号を色補正部１７にも出力するようにしても良い。
【００３７】
色補正部１７は、ＲＧＢ信号をＣＭＹ信号（第２の色空間の画像データ）に変換し、色再現の忠実化実現のために、不要吸収成分を含むＣＭＹ（Ｃ：シアン、Ｍ：マゼンタ、Ｙ：イエロー）色材の分光特性に基づいた色濁りを取り除く処理を行う。
【００３８】
黒生成下色除去部１８は、色補正後のＣＭＹの３色信号（第２の色空間の画像データ）から黒（Ｋ）信号を生成する黒生成、元のＣＭＹ信号から黒生成で得たＫ信号を差し引いて新たなＣＭＹ信号を生成する処理を行う。ここでは、ＣＭＹの３色信号はＣＭＹＫの４色信号に変換される。
【００３９】
黒生成処理の一例として、スケルトンブラックによる黒生成を行う方法（一般的方法）がある。この方法では、スケルトンカーブの入出力特性をｙ＝ｆ（ｘ）、入力されるデータをＣ，Ｍ，Ｙ、出力されるデータをＣ'，Ｍ'，Ｙ'，Ｋ'、ＵＣＲ（Under Color Removal）率をα（０＜α＜１）とすると、黒生成下色除去処理は以下の式１で表わされる。
【００４０】
【数１】
2010028477.tif 000003
【００４１】
空間フィルタ処理部１９は、黒生成下色除去部１８より入力されるＣＭＹＫ信号の画像データに対して、領域識別信号を基にデジタルフィルタによる空間フィルタ処理を行う。この処理では、画像データの空間周波数特性を補正することによって、出力画像のぼやけや粒状性劣化を防ぐようにする。
【００４２】
階調再現処理部２１は、空間フィルタ処理部１９と同様に、ＣＭＹＫ信号の画像データに対して、領域識別信号を基にディザ処理や誤差拡散処理を用いて良好な印刷画像を得るための中間調処理を施す。
【００４３】
例えば、領域分離処理部１６にて文字に分離された領域は、特に黒文字或いは色文字の再現性を高めるために、空間フィルタ処理部１９による空間フィルタ処理における鮮鋭強調処理により高周波数の強調量が大きくされる。同時に、階調再現処理部２１においては、高域周波数の再現に適した高解像度のスクリーンでの二値化または多値化処理が選択される。また、領域分離処理部１６にて網点領域に分離された領域に関しては、空間フィルタ処理部１９において、入力網点成分を除去するためのローパス・フィルタ処理が施される。
【００４４】
出力階調補正部２０では、濃度信号などの信号をカラー画像出力装置３の特性値である網点面積率に変換する出力階調補正処理を行う。その後、階調再現処理部２１において最終的に画像を画素に分離してそれぞれの階調を再現できるようにする階調再現処理（中間調生成）を施す。領域分離処理部１６にて写真に分離された領域に関しては、階調再現性を重視したスクリーンでの二値化または多値化処理が行われる。
【００４５】
操作パネル５は、例えば、液晶ディスプレイ等の表示部と設定ボタン等の操作部とが一体化されたタッチパネル等により構成される。操作パネル５より入力された情報に基づいてカラー画像入力装置２、カラー画像処理装置１、カラー画像出力装置３、カラー画像表示装置４の動作が制御される。なお、以上の各処理は図示していないＣＰＵ（Central Processing Unit：制御手段）により制御される。
【００４６】
カラー画像処理装置１において上述の各処理が施された画像データは、一旦記憶部（図示せず）に記憶され、所定のタイミングで読み出されてカラー画像出力装置３へ出力される。カラー画像出力装置３は、画像を記録媒体上に出力するもの（例えば、画像を紙等のシートに印刷するもの）である。この、カラー画像出力装置３、例えば電子写真方式またはインクジェット方式のカラー画像出力装置からなるものの、特にこれらの構成に限定されるものではない。
【００４７】
表示用変換（ＲＧＢ生成）処理部２２は、送受信部６のハードディスクに保存されているファイリング画像データをカラー画像表示装置４にプレビュー画像として表示する指示が操作パネル５から入力をされた場合に、プレビュー画像を表示する上での指定された表示倍率に応じた処理を行う。なお、この場合の操作パネル５からの入力に基づく表示倍率の認識は、制御部７が行う。
【００４８】
具体的には、表示用変換処理部２２は、カラー画像表示装置４にプレビュー画像を１００％以上の表示倍率（拡大率）で表示する指示入力を受けた場合、上記階調再現処理部２１までの処理がなされたＣＭＹＫ信号の画像データに対して、例えば、下記の演算を行ってＲＧＢ信号を生成する。
【００４９】
Ｒ＝２５５−（Ｃ＋Ｋ）
Ｇ＝２５５−（Ｍ＋Ｋ）
Ｂ＝２５５−（Ｙ＋Ｋ）
このＲＧＢ信号は表示用変倍処理部２３に出力される。なお、ＣＭＹＫ信号（第２の色空間の信号）は、ＲＧＢ信号に変換するのではなく、ＹＣｒＣｂ信号（ＹＣｒＣｂ色空間の信号）に変換するようにしてもよい。
【００５０】
表示用変倍処理部２３は、操作パネル５から上記プレビュー画像表示の指示が入力された場合に、操作パネル５からの入力により、表示のための指示された表示倍率（拡大率）にて画像データに変倍処理を行う。
【００５１】
この処理において、表示用変倍処理部２３は、指示された表示倍率（拡大率）が１００％未満の場合には、画像データ伸張部１５から入力されたＲＧＢ信号の画像データに対して、指示された拡大率で変倍処理を行う。
【００５２】
この場合、変倍処理（縮小処理）は、バイリニア法やバイキュービック法などの補間方法により行う。これにより、どのような縮小率でも他の縮小処理（例えば、ニアレストネイバー法）より比較的自然に見える画像を表示させることができる。なお、バイリニア法は、補間する画素を囲む周囲４点の既存画素の距離に比例した形で重み付けした値の平均を求め、その値をその補間画素とするものである。バイキュービック法は、補間する画素を囲む４点に加え、さらに、にそれらを囲む１２点を加えた計１６点の画素の値を用いて、補間演算を行うものである。ニアレストネイバー法は、補間する画素に一番近い既存画素の値、あるいは補間する画素に対して所定の位置関係にある既存画素の値をその補間画素の値とするものである。また、バイリニア法もしくはバイキュービック法により補間処理を行った場合には、表示倍率が設定値未満の場合、印刷されたときの印刷物の細部はわからないが大まかな濃さや色味を確認することができる状態になる。
【００５３】
一方、表示用変倍処理部２３は、指示された表示倍率（拡大率）が１００％以上の場合に、表示用変換処理部２２から入力されたＲＧＢ信号の画像データに対して、指示された拡大率で変倍処理を行う。
【００５４】
この場合、変倍処理（拡大処理）は、ニアレストネイバー法により補間を行う。このニアレストネイバー法による補間処理を行った場合には、画像データの濃度値（画素値）、および画像データ間の距離（間隔）が維持される。したがって、表示画像は、印刷されたときの印刷物を局所的に拡大して見たときに近い状態となる。
【００５５】
なお、上記バイリニア法、バイキュービック法およびニアレストネイバー法については、周知のものであり、「洪  博哲  著『お話・カラー画像処理』、２０００年９月１５日  第２版発行、ＣＱ出版社」において詳細に説明されている。
【００５６】
また、表示倍率を１００％以上とする場合には、１００％の整数倍となる表示倍率のみを指示可能としてもよい。その場合の拡大処理は、指示された表示倍率とするために、１００％の整数倍分の画素数に相当する画像データ（ＲＧＢ信号）を縦方向および横方向に連続して生成する処理により行ってもよい。
【００５７】
表示用出力階調補正部２４は、プレビュー画像を表示する指示が入力された場合に、指示された表示倍率が１００％以上か１００％未満かに拘わらず、表示用変倍処理部２３による変倍処理後の画像データに対して、カラー画像表示装置４の表示特性に応じた階調補正を行う。
【００５８】
なお、プレビュー画像を表示する指示が入力され、かつ指示された表示倍率が１００％以上の場合には、印刷のための出力階調補正処理を行う必要がないので、出力階調補正部２０での出力階調補正処理を行わずに、表示用出力階調補正部２４での表示用出力階調補正処理を行ってもよい。出力階調補正部２０での階調補正処理は、カラー画像出力装置３により印刷して出力される画像の濃さを適切なものとするための処理である。一方、表示用出力階調補正部２４での処理は、カラー画像表示装置４にて表示される画像の濃さを適切なものとするための処理である。
【００５９】
また、出力階調補正部２０での出力階調補正処理を経た画像データに対して表示用出力階調補正部２４での表示用出力階調補正処理を行う場合には、出力階調補正部２０での出力階調補正の逆特性となる階調補正特性を考慮に入れて、表示用出力階調補正部２４での表示用出力階調補正を行うようにしてもよい。これは、プレビュー画像に不要な出力階調補正部２０での出力階調補正をキャンセルするためである。
【００６０】
あるいは、指示された表示倍率が１００％以上の場合、表示用出力階調補正部２４にて行う出力階調補正は、カラー画像表示装置４の特性に合わせる階調補正とするのではなく特に補正を行わず、カラー画像出力装置３にて画像を印刷して出力する場合に出力階調補正部２０にて行う出力階調補正を、表示用の出力階調補正を行うための別の設定に切り換えてもよい。一例を挙げれば、カラー画像出力装置３にて画像を印刷して出力する場合に出力階調補正部２０にて行う出力階調補正が図１５に示すものであるのに対して、プレビュー画像を表示倍率１００％以上で表示する指示がされた場合に出力階調補正部２０にて行う出力階調補正を例えば図１６に示すものとする。なお、図１５は、印刷の指示がされた場合に出力階調補正部２０が行う出力階調補正の一色成分についての例を示す説明図である。図１６は、プレビュー表示を１００％以上の表示倍率で指示された場合に出力階調補正部２０がＣＭＹＫ空間にて行う出力階調補正の一色成分についての例を示す説明図である。出力階調補正部２０にて行う出力階調補正を上記の設定とすることにより、カラー画像出力装置３から印刷して出力されるものと同様に見えるべきプレビュー画像の濃淡をより適切なものとすることができる。
【００６１】
また、表示用出力階調補正部２４は、表示倍率が１００％未満の場合には表示倍率が１００％以上の場合とは異なる処理を行う。これは、表示倍率が１００％未満の場合には、表示用出力階調補正部２４での処理を経た画像データに対して、さらに表示用階調再現処理部２５での処理が行われることによる。この場合の表示用出力階調補正部２４は、表示用階調再現処理部２５での処理を考慮し、カラー画像表示装置４において適切な画像が表示できるように設定される。
【００６２】
例えば、指示された表示倍率が１００％未満であれば、画像の概観が分かるある程度広い範囲において適切な濃淡が再現できる階調補正処理が行われるようにする。具体的には、図１７に示すような階調補正である。図１７は、指示された表示倍率が１００％未満の場合に、表示用出力階調補正部２４がＲＧＢ空間にて行う出力階調補正の一色成分についての例を示す説明図である。
【００６３】
一方、指示された表示倍率が１００％以上であれば、カラー画像出力装置３にて印刷して出力されたときの出力ドットの濃淡が適切に再現できる階調補正処理が行われるようにする。具体的には、図１８に示すような階調補正である。図１８は、指示された表示倍率が１００％以上の場合に、表示用出力階調補正部２４が行う出力階調補正の一色成分についての例を示すものであって、カラー画像出力装置３の出力特性をＲＧＢ空間に置き換える出力階調補正を示す説明図である。この出力階調補正により、カラー画像出力装置３にて印刷されたときの画像の色をカラー画像表示装置４において再現することができる。
【００６４】
表示用階調再現処理部２５は、指示された表示倍率が１００％未満の場合に、表示用出力階調補正部２４から入力された画像データ（ＲＧＢ信号）に対して、領域識別信号を基にディザ処理や誤差拡散処理を用いて良好な表示画像を得るための中間調処理（表示用の中間処理）を施す。
【００６５】
表示用階調再現処理部２５での中間調処理は、大まかな濃淡の確認やレイアウトの確認のためのプレビュー画像の表示を適切に行えるようにするものであり、階調再現処理（中間調処理）を行いかつ縮小したために生じる不都合な事態、すなわち離散的にドットが出力されるような部分においてドットの間隔が詰まった見難い画像となったり、また縮小処理の方法によっては表示画像に干渉縞が現れて同様に見難い画像となったりする事態を防止することができるようなものである。
【００６６】
すなわち、階調再現処理部２１での中間調処理はカラー画像出力装置３のドット再現性を考慮に入れ、局所的な位置のドットを出力させて細やかな階調を再現できるようにするものである。一方、表示用階調再現処理部２５での中間調処理は、画像表示装置における階調再現性は比較的安定しているので、画素位置に係わらず、各画素の出力が均一になるように細やかな階調を再現できるようにするものである。
【００６７】
表示用階調再現処理部２５での表示用の中間調処理についてさらに詳細に説明する。カラー画像表示装置４はカラー画像出力装置（画像形成装置）３に比べて、低解像度（例えば７５ｄｐｉ）であり、階調再現性も安定している。したがって、表示用階調再現処理部２５では、複数の画素を用いて階調を表現する場合、最小の階調差（１階調の差）は存在するものの、各画素の出力が均一になる処理を行う。例えば、ディザ処理の場合、図１０のディザマトリクスを用いる。この場合の各画素の出力は、図１１に示すように、ほぼ均一に変化していく。
【００６８】
一方、カラー画像出力装置３では、これが例えば電子写真方式の画像形成装置である場合、解像度は高い（例えば、６００ｄｐｉ、１２００ｄｐｉである）ものの、ドット再現（階調表現）に不安定性を有している。したがって、複数の画素を用いて階調を表現する場合、所定の順序で出力値が集中して高くなる処理を行う。例えば、ディザ処理の場合、図８や図９に示すように、核となる画素位置の出力を増加させて階調を表現する。
【００６９】
選択部２６は、表示倍率が１００％以上の場合に、表示用階調再現処理部２５を介さずに表示用出力階調補正部２４から入力されるＲＧＢ信号を選択して、カラー画像表示装置４に出力する。この場合、選択部２６は、入力されるＲＧＢ信号の上位６ビットを抽出してカラー画像表示装置４への出力信号とする。一方、選択部２６は、表示倍率が１００％未満の場合に、表示用階調再現処理部２５から入力されるＲＧＢ信号（６ビットの画像データ）を選択して、カラー画像表示装置４に出力する。
【００７０】
なお、階調再現処理部２１では、多値ディザ処理により画像データの階調数を２５６階調（８ビット）から６４階調（６ビット）とする。この場合、階調再現処理部２１は、出力するＣＭＹＫ信号に対して、下位２ビットに意味のない（０でも何でも構わない）信号を付加して８ビットの信号として出力する。この処理は、表示倍率が１００％未満の場合に画像データ伸張部１５から表示用変倍処理部２３に８ビットのＲＧＢ信号が入力されるので、表示倍率が１００％未満の場合と表示倍率が１００％以上の場合とで表示用変倍処理部２３に入力される信号のビット数を合致させるためである。したがって、上記のように、選択部２６では、表示倍率が１００％以上の場合に、入力されるＲＧＢ信号の上位６ビットを抽出してカラー画像表示装置４へ出力する。
【００７１】
なお、上記の例では、プレビュー画像を表示する際に、階調再現処理部２１にて印刷用の階調再現処理（中間調処理）が施された画像データと、階調再現処理部２１での階調再現処理が施されていない画像データ伸張部１５からの出力画像データとのいずれを使用するかを選択するための表示倍率の基準を１００％としている。これは、カラー画像表示装置４での表示画像において、印刷用の階調再現処理の施された様子を適切に確認できる表示倍率が１００％以上であることによる。ただし、この基準は、上記の意図の下、適宜変更することが可能である。
【００７２】
なお、階調再現処理の施された様子が適切に確認できるかどうかを決める要素としては、例えば、印刷によりドットを出力する各画素あるいは画素の塊（複数の画素）が階調再現処理画像の出力信号に比例した濃さで確認できるか否か、あるいは、上記各画素あるいは画素の塊のそれぞれの距離が階調再現処理画像のものと比例した距離で再現されるか否を挙げることができる。
【００７３】
図２は、本発明の実施の形態における画像処理装置をコンピュータ３１が備えるプリンタドライバ３２に適用した例を示すブロック図である。プリンタドライバ３２は、ソフトウエア（アプリケーションプログラム）としてコンピュータ３１に組み込まれている。したがって、図２の構成において、画像処理装置はコンピュータ３１によって実現されている。
【００７４】
図２に示すように、コンピュータ３１は、プリンタドライバ３２、通信ポートドライバ３３および通信ポート３４を備えている。プリンタドライバ３２は、色補正部１７、黒生成下色除去部１８、階調再現処理部２１、プリンタ言語翻訳部３５、表示用変換処理部２２、表示用変倍処理部２３、表示用出力階調補正部２４、表示用階調再現処理部２５および選択部２６を有している。
【００７５】
コンピュータ３１は、プリンタ（画像出力装置）３７と接続されており、プリンタ（印刷装置）３７は、コンピュータ３１から出力された画像データに基づいて画像を印刷するようになっている。なお、プリンタ３７は、プリンタ機能の他に、コピー機能およびファックス機能を有するデジタル複合機であってもよい。
【００７６】
また、コンピュータ３１は、画像表示装置３６と接続されており、使用者から指示された場合に、プリンタ３７にて印刷される画像に応じたプレビュー画像を画像表示装置３６に表示させるようになっている。この機能は、前記画像形成装置におけるカラー画像処理装置１の機能と同様である。なお、画像表示装置３６は、カラー画像表示装置あるいはモノクロの画像表示装置のいずれであってもよい。
【００７７】
コンピュータ３１は、各種のアプリケーションプログラムを実行することにより画像データを生成する。この画像データは、色補正部１７、黒生成下色除去部１８、階調再現処理部２１、表示用変換処理部２２、表示用変倍処理部２３、表示用出力階調補正部２４、表示用階調再現処理部２５および選択部２６にて、カラー画像処理装置１の場合と同様に処理される。
【００７８】
コンピュータ３１は、プリンタ３７にて印刷する旨の指示が入力された場合、色補正部１７から階調再現処理部２１までの処理を経た画像データを、プリンタ言語翻訳部３５にてプリンタ言語に変換し、通信ポートドライバ３３、通信ポート（例えばＲＳ２３２Ｃ・ＬＡＮ等）３４を介してプリンタ３７に出力する。
【００７９】
また、コンピュータ３１は、プレビュー画像の表示の指示が入力された場合、表示画像の指示された表示倍率（拡大率）が１００％以上であれば、階調再現処理部２１までの処理を経た画像データに対して、表示用変換処理部２２、表示用変倍処理部２３および表示用出力階調補正部２４の処理を順次行う。これら処理を経た画像データは選択部２６に入力され、選択部２６はこの画像データを画像表示装置３６に出力する。一方、表示画像の指示された表示倍率（拡大率）が１００％未満であれば、生成した上記画像データに対して表示用変倍処理部２３、表示用出力階調補正部２４および表示用階調再現処理部２５の処理を順次行う。これら処理を経た画像データは選択部２６に入力され、選択部２６はこの画像データを画像表示装置３６に出力する。
【００８０】
次に、図１に示したカラー画像処理装置１および図２に示したコンピュータ３１のプリンタドライバ３２におけるプレビュー画像の出力動作について説明する。図３（ａ）は、図１に示したカラー画像処理装置１および図２に示したコンピュータ３１のプリンタドライバ３２におけるプレビュー画像の出力動作を示すフローチャート、図３（ｂ）は、図３（ａ）に示した動作に続くプレビュー画像の出力動作を示すフローチャートである。
【００８１】
印刷対象となる画像データは、画像形成装置では、例えばスキャナであるカラー画像入力装置２により原稿画像が読み取られてカラー画像処理装置１に入力される。あるいは、外部装置から入力される。あるいは、コンピュータ３１が備える各種のアプリケーションプログラムを実行することにより生成される。
【００８２】
上記画像データは、カラー画像処理装置１では、Ａ／Ｄ変換部１１、シェーディング補正部１２、入力階調補正部１３、画像データ圧縮部１４、送受信部６および画像データ伸張部１５を経て、領域分離処理部１６、色補正部１７および表示用変倍処理部２３に入力される。コンピュータ３１では、プリンタドライバ３２の色補正部１７および表示用変倍処理部２３に入力される。
【００８３】
色補正部１７に入力された画像データは、カラー画像処理装置１では、黒生成下色除去部１８、空間フィルタ処理部１９、出力階調補正部２０、階調再現処理部２１および表示用変換処理部２２を経て表示用変倍処理部２３に入力され、プリンタドライバ３２では、黒生成下色除去部１８、階調再現処理部２１および表示用変換処理部２２を経て表示用変倍処理部２３に入力される。
【００８４】
ここで、図３（ａ）に示すように、使用者の入力操作によりプレビュー画像の表示が指示されると（Ｓ１）、初期表示倍率を設定する（Ｓ２）。この初期表示倍率の設定は、使用者が表示倍率を選択することにより行っても、装置側での計算により行ってもよい。装置側での計算により行う場合には、プレビュー画像をカラー画像表示装置４（画像表示装置３６）に表示した場合に画像全体が表示エリアに納まるように、画像データの画素数と表示エリアの画素数から表示倍率を計算する。この計算は、図１に示す制御部７（図２には示さず）が行う。
【００８５】
次に、設定された表示倍率が１００％以上であれば（Ｓ３）、表示用変倍処理部２３は、色補正部１７から階調再現処理部２１を含む表示用変換処理部２２までの処理（Ｓ４〜Ｓ９）を経た画像データに対して、図３（ｂ）に示すように、設定された表示倍率で変倍処理を行う（Ｓ１０）。その後、表示用出力階調補正部２４での処理を経た画像データは（Ｓ１１）、選択部２６に入力される。選択部２６は、指示された表示倍率が１００％以上であることから（Ｓ１２）、表示用出力階調補正部２４から入力された画像データを選択し、そのＲＧＢ画像データをカラー画像表示装置４（以下、説明の便宜上、画像表示装置３６の記載は省略する。）に出力して、カラー画像表示装置４に表示させる（Ｓ１４）。
【００８６】
一方、Ｓ３において、設定された表示倍率が１００％未満であれば、表示用変倍処理部２３は、色補正部１７から表示用変換処理部２２までの処理を経ていない画像データに対して、設定された表示倍率で変倍処理を行う（Ｓ１０）。その後、画像データは、表示用出力階調補正部２４で処理され（Ｓ１１）、指示された表示倍率が１００％未満であることから（Ｓ１２）、さらに表示用階調再現処理部２５にて処理され（Ｓ１３）、選択部２６に入力される。選択部２６は、表示用階調再現処理部２５から入力された画像データを選択し、そのＲＧＢ画像データをカラー画像表示装置４に出力して、カラー画像表示装置４に表示させる（Ｓ１４）。
【００８７】
上記表示用出力階調補正部２４から選択部２６までの処理については、表示倍率に拘わらず、選択部２６には表示用階調再現処理部２５から出力された画像データと表示用出力階調補正部２４から出力された画像データとが入力され、これら画像データのうちのいずれかを表示倍率に応じて選択部２６が選択し、カラー画像表示装置４に出力する構成であってもよい。あるいは、表示倍率が１００％以上の場合には、表示用出力階調補正部２４から選択部２６のみに画像データが出力され、かつ表示用階調再現処理部２５が動作せず（画像データを出力せず）、表示倍率が１００％未満の場合には、表示用出力階調補正部２４から表示用階調再現処理部２５のみに画像データが出力され、かつ表示用階調再現処理部２５が動作する（画像データを出力する）構成であってもよい。
【００８８】
なお、色補正部１７から表示用変換処理部２２までの処理を経ていない画像データは、コンピュータ３１では、スキャナで読み込まれた画像データ、あるいはアプリケーションにより生成された画像データに相当する。
【００８９】
プレビュー画像がカラー画像表示装置４に表示された段階で（Ｓ１４）、カラー画像表示装置４の画面を見たユーザにより、表示倍率の変更が入力されると（Ｓ１５，Ｓ１６）、Ｓ３に戻ってＳ１５までの処理を繰り返す。
【００９０】
その後、画像データの印刷が指示され（Ｓ１７）、印刷条件の変更が指示されなければ（Ｓ１８）、すなわち、ユーザがプレビュー画像を見て、印刷条件を変更することなく例えば単に印刷の指示ボタンを操作した場合には、階調再現処理部２１から出力された画像データに基づき、カラー画像出力装置３（プリンタ３７）が印刷を行う（Ｓ１９）。
【００９１】
一方、上記印刷条件の変更が指示されると（Ｓ１８，Ｓ２０）、印刷条件の変更に応じたカラー画像表示装置４上におけるプレビュー画像の更新の要否を判定する（Ｓ２１）。ここで、プレビュー画像の更新が必要となるのは、Ｓ１８での印刷条件の変更が例えば印刷画像の拡大縮小率の変更を指示するものの場合である。
【００９２】
Ｓ２１での判定の結果、プレビュー画像の更新が不要であれば、Ｓ１９に進んで印刷を行う。一方、プレビュー画像の更新が必要であれば、Ｓ１６に戻り、表示倍率の変更の指示に応じて、プレビュー画像を更新する。また、Ｓ１７において、例えばプレビュー画像の表示開始から所定時間経過するまでの間に、印刷の指示がなければ、プレビュー画像の表示を終了する（Ｓ２２）。
【００９３】
図４は、本発明の実施の形態における画像処理装置をコンピュータ（端末装置）４１が備えるディスプレイドライバ４３に適用した例を示すブロック図である。ディスプレイドライバ４３は、ソフトウエア（アプリケーションプログラム）としてコンピュータ４１に組み込まれている。したがって、図４の構成において、画像処理装置はコンピュータ４１によって実現されている。ディスプレイドライバ４３は、使用者から指示された場合に、プリンタ５１にて印刷される画像に応じたプレビュー画像を画像表示装置３６に表示させるためのものである。
【００９４】
図４に示すように、コンピュータ４１は、プリンタドライバ４２、通信ポートドライバ３３および通信ポート３４を備えている。プリンタドライバ４２はプリンタ言語翻訳部３５およびディスプレイドライバ４３を備え、ディスプレイドライバ４３は、表示用変換処理部２２、表示用変倍処理部２３、表示用出力階調補正部２４、表示用階調再現処理部２５および選択部２６を備えている。
【００９５】
プリンタ５１は、色補正部１７、黒生成下色除去部１８および階調再現処理部２１を有する画像処理部５２、メモリ５３並びにプリンタ制御部５４を備えている。プリンタ５１は、プリンタ機能の他に、コピー機能およびファックス機能を有するデジタル複合機であってもよい。
【００９６】
コンピュータ４１は、各種のアプリケーションプログラムを実行することにより画像データを生成する。この画像データは、プリンタドライバ４２の設定画面における印刷の指令に応じて、プリンタ５１に送信される。この場合、画像データは、プリンタドライバ４２のプリンタ言語翻訳部３５にてプリンタ言語に変換され、通信ポートドライバ３３および通信ポート（例えばＲＳ２３２Ｃ・ＬＡＮ等）３４を介してプリンタ５１に入力される。上記したコンピュータ４１、およびコンピュータ４１とネットワークを介して接続されたプリンタ５１とにより画像形成システムが構成されている。
【００９７】
また、コンピュータ４１は、プリンタドライバ４２の上記設定画面におけるプレビュー画像の表示の指令を受けた場合であって、プレビュー画像の表示倍率（拡大率）が１００％以上の場合、上記印刷の指令の場合と同様、生成した画像データをプリンタ５１に送信する。その後、プリンタ５１に対して、プリンタ５１の画像処理部５２にて処理された画像データの送信を要求する。この要求に応じてプリンタ５１から取得した画像データは、ディスプレイドライバ４３に入力され、表示用変換処理部２２、表示用変倍処理部２３、表示用出力階調補正部２４および表示用階調再現処理部２５の処理を経た後、コンピュータ４１に接続されている画像表示装置３６に出力される。これにより、画像表示装置３６では、プリンタ５１の画像処理部５２およびディスプレイドライバ４３にて処理されたプレビュー画像が表示される。
【００９８】
一方、コンピュータ４１は、プリンタドライバ４２の上記設定画面におけるプレビュー画像の表示の指令を受けた場合であって、プレビュー画像の表示倍率（拡大率）が１００％未満の場合、生成した画像データに対して、ディスプレイドライバ４３の各部に処理を行い、処理後の画像データを画像表示装置３６に出力する。すなわち、表示用変換処理部２２、表示用変倍処理部２３、表示用出力階調補正部２４、表示用階調再現処理部２５および選択部２６による処理を行い、処理後の画像データを画像表示装置３６に出力する。これにより、画像表示装置３６では、プリンタ５１の画像処理部５２における階調再現処理部２１にて処理された画像データに代えて、ディスプレイドライバ４３の表示用階調再現処理部２５にて処理された画像データが表示される。
【００９９】
プリンタ５１は、コンピュータ４１からプリンタ５１に入力された画像データについて、上記各部による処理、すなわち色補正処理、黒生成下色除去処理および階調再現処理を施し、一旦、メモリ５３に格納する。また、プリンタ５１のプリンタ制御部５４は、コンピュータ４１からの要求に応じて、メモリ５３に格納されている、階調再現処理部２１での階調再現処理が施された画像データを読み出し、コンピュータ４１に送信する。
【０１００】
次に、図４に示したコンピュータ４１におけるプレビュー画像の出力動作について説明する。図５（ａ）は、図４に示したコンピュータ４１におけるプレビュー画像の出力動作を示すフローチャート、図５（ｂ）は、図５（ａ）に示した動作に続くプレビュー画像の出力動作を示すフローチャートである。図６は、図５（ａ）および図５（ｂ）のコンピュータ４１の動作に対応したプリンタ５１の動作を示すフローチャートである。
【０１０１】
印刷対象となる画像データは、コンピュータ４１に対して外部装置から入力される。あるいは、コンピュータ４１が備える各種のアプリケーションプログラムを実行することにより生成される。この印刷対象となる画像データは、コンピュータ４１のハードディスクに一旦格納される。
【０１０２】
コンピュータ４１では、まず、フラグＦ１およびＦ２を０とする（Ｓ３１）。このフラグＦ１は、コンピュータ４１からプリンタ５１に対して印刷条件の変更指示がなされ画像形成が必要な場合（Ｆ１＝ａ）、その旨を示すものである。フラグＦ２は、コンピュータ４１がプリンタ５１から画像データを受信している場合（Ｆ２＝ｂ）、その旨を示すものである。
【０１０３】
次に、使用者の入力操作によりプレビュー画像の表示が指示されると（Ｓ３２）、初期表示倍率を設定し（Ｓ３３）、ハードディスクに格納されている上記画像データをプリンタ５１に送信する（Ｓ３４）。この場合、画像データは、通信ポートドライバ３３および通信ポート３４を介してプリンタ５１に入力される。プリンタ５１に上記画像データを送信するタイミングはこのタイミングに限らず、プリンタ５１において上記画像データが必要となる適当なタイミングであればよい。上記初期表示倍率の設定については前述のとおりである。
【０１０４】
次に、設定された表示倍率が１００％以上であれば（Ｓ３５）、コンピュータ４１では、フラグＦ２がｂであるか否かを判定する（Ｓ３６）。この判定の結果、フラグＦ２がｂでないなら、コンピュータ４１では、プリンタ５１の画像処理部５２の色補正部１７から階調再現処理部２１によって処理されメモリ５３に格納されているデータをプリンタ５１から受信し（Ｓ３７）、その画像データをコンピュータ４１のメモリ（図示せず）に格納する。そして、フラグＦ２をｂに設定する（Ｓ３８）。
【０１０５】
その後、上記画像データをメモリから読み出し、ディスプレイドライバ４３の表示用変換処理部２２、表示用変倍処理部２３および表示用出力階調補正部２４によって処理し（Ｓ３９〜Ｓ４１）、表示倍率が１００％以上であるので（Ｓ４２）、選択部２６での処理を経て、これら各部で処理した画像データを画像表示装置３６に出力して表示させる（Ｓ４３）。なお、Ｓ３６においてフラグＦ２がｂであれば、Ｓ３７およびＳ３８の処理を経ることなくＳ３９に進む。
【０１０６】
一方、Ｓ３５において設定された表示倍率が１００％未満であれば、コンピュータ４１では、ハードディスクに格納されている上記画像データをプリンタ５１での処理を経ることなく、ディスプレイドライバ４３において処理し（Ｓ３９〜Ｓ４１）、表示倍率が１００％未満であるので（Ｓ４２）、さらに表示用階調再現処理部２５にて処理し（Ｓ４３）、選択部２６での処理を経て、これら各部で処理した画像データを画像表示装置３６に出力して表示させる（Ｓ４４）。
【０１０７】
次に、例えば画像表示装置３６の画面を見たユーザにより、表示倍率の変更が入力されると（Ｓ４５，Ｓ４６）、Ｓ３５に戻ってＳ４４までの処理を繰り返す。この場合、変更後の表示倍率が１００％以上であれば、プリンタ５１の画像処理部５２によって処理された画像データを使用し、変更後の表示倍率が１００％未満であれば、ハードディスクに格納されているプリンタ５１の画像処理部５２での処理を経ていない画像データを使用する。
【０１０８】
その後、画像データの印刷が指示され（Ｓ４７）、印刷条件の変更が指示されなければ（Ｓ４８）、印刷が必要であることを示す印刷制御信号をプリンタ５１に送信し（Ｓ４９）、処理を終了する。
【０１０９】
一方、上記印刷条件の変更が指示されると（Ｓ４８，Ｓ５０）、印刷条件の変更に応じた画像表示装置３６上におけるプレビュー画像の更新の要否を判定する（Ｓ５１）。プレビュー画像の更新が必要となるのは、前述のように、Ｓ５０での印刷条件の変更が例えば印刷画像の拡大縮小率の変更を指示するものの場合である。
【０１１０】
Ｓ５１での判定の結果、プレビュー画像の更新が不要であれば、Ｓ４９に進んで印刷が必要であることを示す印刷制御信号をプリンタ５１に送信する。一方、プレビュー画像の更新が必要であれば、フラグＦ１をａ（印刷条件の変更ありを示すもの）に設定し（Ｓ５２）、フラグＦおよび印刷条件をプリンタ５１に送信する（Ｓ５３）。
【０１１１】
その後、Ｓ５０の印刷条件の変更に応じて印刷条件が変更された画像データをプリンタ５１から受信すると（Ｓ５４）、Ｓ３９に戻り、それ以下の処理を繰り返す。
【０１１２】
また、Ｓ４７において、例えばプレビュー画像の表示開始から所定時間経過するまでの間に印刷の指示がなければ、印刷が不要であることを示す印刷制御信号をプリンタ５１に送信し（Ｓ５５）、プレビュー画像の表示を終了する（Ｓ５６）。
【０１１３】
プリンタ５１では、図６に示すように、コンピュータ４１から画像データを受信すると（Ｓ６１）、受信した画像データを一旦メモリ５３に格納する（Ｓ６２）。そして、フラグＦ１の内容を確認し（Ｓ６３）、フラグＦ１がａ（印刷条件の変更ありを示すもの）でなければ、すなわちフラグＦ１が０であれば、メモリ５３から上記画像データを読み出して画像処理部５２の色補正部１７、黒生成下色除去部１８および階調再現処理部２１の処理を行い、これら処理が施された画像データをメモリ５３に格納する（Ｓ６４〜Ｓ６７）。
【０１１４】
一方、Ｓ６３でのフラグＦ１の確認の結果、フラグＦ１がａ（印刷条件の変更ありを示すもの）であれば、コンピュータ４１から印刷条件を受信し（Ｓ７３）、コンピュータ４１から受信した画像データをメモリ５３から読み出し（Ｓ７４）、受信した印刷条件に基づいて、上記画像データに対する画像処理のパラメータを変更する（Ｓ７５）。
【０１１５】
その後、上記の場合と同様、上記画像データに対して画像処理部５２の色補正部１７から階調再現処理部２１までの処理を行い、それら処理が施された画像データをメモリ５３に格納する（Ｓ６４〜Ｓ６７）。
【０１１６】
Ｓ６７での処理の後、プリンタ５１は、画像処理部５２での処理を経た画像データをメモリ５３から読み出し、コンピュータ４１に送信する（Ｓ６８）。
【０１１７】
その後、プリンタ５１は、コンピュータ４１から印刷制御信号を受信すると（Ｓ６９）、その印刷制御信号から印刷の要否を判定する（Ｓ７０）。この判定の結果、印刷が必要であれば、画像処理部５２にて処理された画像データをメモリ５３から読み出し、その画像データに基づいて印刷を行う（Ｓ７１）。印刷が終了すると、印刷した画像データをメモリ５３から消去し（Ｓ７２）、処理を終了する。また、Ｓ７０での判定の結果、印刷が不要であれば、印刷を行うことなく、画像処理部５２にて処理された上記画像データをメモリ５３から消去し（Ｓ７２）、処理を終了する。以上のプリンタ５１での処理はプリンタ制御部５４による制御に基づいて行われる。
【０１１８】
以上のように、本実施の形態の構成では、画像表示装置にて画像データをプレビュー画像として表示する場合に、指定された表示倍率が所定値以上（本実施の形態では１００％以上）である場合には、表示する画像データに階調再現処理部２１での印刷用の階調再現処理を施す一方、指定された表示倍率が所定値未満（本実施の形態では１００％未満）である場合には、表示する画像データに表示用階調再現処理部２５での表示用の階調再現処理を施すようになっている。
【０１１９】
これにより、相対的に縮小表示された画像については、階調再現処理を行いかつ縮小したために生じる不都合な事態、すなわち離散的にドットが出力されるような部分においてドットの間隔が詰まった見難い画像となったり、また縮小処理の方法によっては表示画像に干渉縞が現れて同様に見難い画像となったりする事態を防止することができる。したがって、本来の縮小画像の目的である、大まかな濃淡の確認やレイアウトの確認のためのプレビュー画像の表示を適切に行うことができる。一方、相対的に拡大表示された画像については、階調再現処理を行うことによって、細部まで明瞭な良質のプレビュー画像を表示することができる。
【０１２０】
ここで、階調再現処理部２１および表示用階調再現処理部２５が行う中間調処理の一例であるディザ処理の例を、図７〜図９に基づいて説明する。図７は、階調再現処理部２１および表示用階調再現処理部２５において多値ディザ処理により中間調処理を行う際のディザマトリクスの例を示す説明図である。図８は、階調再現処理部２１および表示用階調再現処理部２５が行うエッジ領域以外の領域（網点領域、下地領域および連続階調領域など）の図７に示すディザマトリクスを使用した多値ディザ処理における低濃度から高濃度にかけての出力値の例を示す説明図である。図９は、階調再現処理部２１および表示用階調再現処理部２５が行うエッジ領域（文字エッジ）の図７に示すディザマトリクスを使用した多値ディザ処理における低濃度から高濃度にかけての出力値の例を示す説明図である。
【０１２１】
図７に示すディザマトリクスは複数のサブマトリクス（図７では４個）から構成されている。図７における各セルの数字（以下、番号と称する）は、濃い出力値が割り当てられる順序を示しており、図８および図９の各セルの数字は出力値を示している。
【０１２２】
エッジ領域以外の領域（網点領域、下地領域および連続階調領域など）の多値ディザ処理では、図７のようなディザマトリクスの場合、各閾値（Ｔｈ）の関係を、例えば、
Ｔｈ［ｉ］［ｊ］≦Ｔｈ［ｉ＋１］［ｊ］
Ｔｈ［４ｋ＋３］［ｊ］≦Ｔｈ［４ｋ］［ｊ＋１］
Ｔｈ［４ｋ＋３］［１４］≦Ｔｈ［４ｋ＋４］［０］
（ｋ＝０，１，２，…，８）
とする。なお、各閾値（Ｔｈ）はディザマトリクス内の各画素位置における画素値を１６値に量子化するためのものである。
【０１２３】
この多値ディザ処理では、上記のように各閾値を設定することで、図８に示すように、低濃度（図８の左上側）から高濃度（図８の右下側）にかけて、図７のディザマトリクスに示す番号の順序に従って、サブマトリクス毎に、各番号の出力値を１から１５まで増加させる。
【０１２４】
具体的には、ディザマトリクスの第１〜第４のサブマトリクスには、核（起点）となる番号「０」、「１」、「２」、「３」が順次与えられ、これに続く「４」、「５」、「６」、「７」の番号、……、「３６」、「３７」、「３８」、「３９」の番号が順次与えられている。そして、番号「０」、「１」、「２」、「３」の出力値を順次１から１５まで増加させた後、次に番号「４」、「５」、「６」、「７」の出力値を順次１から１５まで増加させ、以後同様に各サブマトリクス内の１箇所の番号の出力値を順次１から１５まで増加させる。
【０１２５】
エッジ領域（文字エッジ）の多値ディザ処理では、図７のようなディザマトリクスを使用する場合、各閾値の関係を、例えば、
Ｔｈ［ｉ］［ｊ］≦Ｔｈ［ｉ＋１］［ｊ］
Ｔｈ［３］［ｊ１］≦Ｔｈ［０］［ｊ１＋１］
Ｔｈ［３］［１２］≦Ｔｈ［４］［０］
Ｔｈ［３９］［ｊ１］≦Ｔｈ［４］［ｊ１＋１］
Ｔｈ［３９］［ｊ２］≦Ｔｈ［０］［ｊ２＋１］
（ｊ１＝０，１，２，…，１１、また、ｊ２＝１２，１３）
とする。
【０１２６】
この多値ディザ処理では、上記のように各閾値を設定することで、図９に示すように、低濃度（図９の左上）から高濃度（図９の右下）にかけて、図７のディザマトリクスに示す番号の順序に従って、サブマトリクス毎に、核となる番号「０」、「１」、「２」、「３」の出力値を１から１３まで増加させる。次ぎに、その他の番号の出力値を、番号の順序に従って均等に１３まで増加させ、その後は全体的に均等に１５まで増加させていく。
【０１２７】
具体的には、まず、各サブマトリクスの核（起点）となる番号「０」、「１」、「２」、「３」の出力値を１から１３まで増加させる。次に、番号「４」〜「３９」の出力値を番号順に１に増加させる。次に、番号「４」〜「３９」の出力値を番号順に２に増加させる。以後同様にこの処理を繰り返し、番号「４」〜「３９」の出力値を１３まで増加させる。次に、番号「１」〜「３９」の出力値を、番号順に１４に増加させ、同様にして１５まで増加させる。このような図９に示す処理では、上述した図８に示す処理に比べて、高濃度（出力値１３以上）のムラは大きくなるものの、ジャギーは目立ち難くなる。
【０１２８】
図１０はカラー画像表示装置４の出力値が６４レベルの場合の多値ディザ処理に用いるディザマトリクスの例を示す図であり、図１１は図１０に示すディザマトリクスを使用した場合の低濃度から高濃度にかけての出力値の例を示す説明図である。図１０における各セルの数字（以下、番号と称する）は、図７の場合と同様、濃い出力値が割り当てられる順序を示しており、図１１の各セルの数字は出力値を示している。
【０１２９】
図１０のようなディザマトリクスの場合、例えば各閾値の関係を、
Ｔｈ［ｉ］［ｊ］≦Ｔｈ［ｉ＋１］［ｊ］
Ｔｈ［１５］［ｊ］≦Ｔｈ［０］［ｊ＋１］
とする。
【０１３０】
この多値ディザ処理では、上記のように各閾値を設定することで、図１１に示すように、低濃度（図１１の左上側）から高濃度（図１１の右下側）にかけて、番号の順序に従って、各番号の出力値を１ずつ増加させる。
【０１３１】
具体的には、ディザマトリクスのセルには、「０」から「１５」の番号が与えられており、番号「０」から「１５」の出力値を順次１ずつ増加させた後、また番号「０」に戻って番号「０」から「１５」の出力値を順次１ずつ増加させる。この処理を各セルの出力値が１５になるまで繰り返す。
【０１３２】
多値ディザ処理においてどのようなディザマトリクスを用いるかは、画像表示装置の階調再現能力と画像表示を行う階調数に基づいて設定すれば良い。図１０に示すディザマトリクスの場合には、１００９（６３×１６＋１＝１００９）階調を表現することが可能である。
【０１３３】
上記の例では、表示倍率が１００％以上の場合に、画像データを表示用階調再現処理部２５を介さずに選択部２６に入力する構成としている。しかしながら、表示倍率が１００％以上の場合にも画像データを表示用階調再現処理部２５に入力し、表示用階調再現処理部２５において、１×１のディザマトリクスと図１２に示す変換テーブルとを用いて、８ビットの信号（画像データ）を６ビットの信号に変換する処理を行うようにしてもよい。このような構成とした場合、選択部２６は不要となる。
【０１３４】
また、上記の例では、階調再現処理部２１と表示用階調再現処理部２５とを備えた構成としている。しかしながら、階調再現処理部２１を表示用階調再現処理部２５と共用するようにしてもよい。例えば、階調再現処理部２１での多値ディザ処理において、表示倍率が１００％以上の場合に使用する閾値および１００％未満の場合に使用する閾値（例えば、図７あるいは図１０に示したディザマトリクスに用いる閾値）を設定しておき、指定された表示倍率に応じて対応する閾値を使用し、階調再現処理部２１での多値ディザ処理を行う構成としてもよい。
【０１３５】
また、表示倍率が１００％未満の場合には、プレビュー画像を作成するための信号として、第１の色空間の信号であるＲＧＢ信号をそのまま用いている。しかしながら、ＲＧＢ信号を表示用変換処理部２２に入力し、表示用変換処理部２２においてＲＧＢ信号をＹＣｒＣｂ信号に変換し、このＹＣｒＣｂ信号を使用してプレビュー画像を作成するようにしてもよい。
【０１３６】
なお、領域分離処理部１６による領域分離結果に応じて階調再現処理部２１および選択部２６での中間調処理を変更する場合、領域毎に変更した結果をそのまま反映したプレビュー画像を表示させることができる。また、例えば図１に示したカラー画像処理装置１において、画像データの原稿種別を判別する原稿種別自動判別部（図１には図示せず）を設け、この原稿種別自動判別部による原稿種別の判別結果に応じて、階調再現処理部２１および選択部２６の中間調処理を変更するようにしてもよい。このような構成の場合にも、変更した結果を反映したプレビュー画像を表示することができる。すなわち、本実施の形態の構成は、原稿種別自動判別部を備えた構成においても適用可能である。
【０１３７】
また、表示用変倍処理部２３において、表示倍率を整数倍とする場合、例えばプルダウンメニューにより、表示倍率を１００％、２００％、３００％、……のうちから選択できるようにしてもよい。ここで、表示倍率を整数倍とする理由について、図１３（ａ）および図１３（ｂ）に基づいて説明する。図１３（ａ）は拡大前の画像における中間調のパターンの一例を示す説明図であり、図１３（ｂ）は図１３（ａ）の画像を１５０％の表示倍率に拡大をした結果を示す説明図である。
【０１３８】
上記のように、表示倍率を１５０％とした場合、図１３（ａ）に示す中間調パターンに対して図１３（ｂ）に示す拡大後の中間調パターンでは、２画素がオンになる箇所と１画素がオンになる箇所とが存在するようになる。このため、オン・オフの画素数が領域により不均一となり、画像を正しく表示できなくなる。そこで、表示倍率を整数倍とすれば、このような問題は回避可能である。なお、画素がオンになる、オフになるとは、ドットを出力する、出力しないという意味である。
【０１３９】
また、表示用変倍処理部２３での表示倍率に基づく補間方法の例について、図１４（ａ）および図１４（ｂ）に基づいて説明する。図１４（ａ）は拡大前の元の画像データを示す説明図であり、図１４（ｂ）は図１４（ａ）の画像データを２００％の表示倍率にて拡大した結果の一例を示す説明図である。このように、画像データの表示倍率を２００％（整数倍（ｍ倍））とする場合には、ニアレストネイバー法に代えて、元の１の画素に対応する２×２（ｍ×ｍ）画素のマトリクスを同じ画素値とする拡大方法を採用してもよい。
【０１４０】
また、表示用変換処理部２２は、階調再現処理部２１にて中間調処理が施されたＣＭＹＫ信号からなる画像データをＲＧＢ信号からなる画像データに変換する処理として、先述の処理に代えて、次の処理を行ってもよい。例えば、ＣＭＹＫの値とＲＧＢの値との対応関係を、事前に測色する方法等を用いて対応関係を求めてテーブルに格納しておき、そのテーブルを参照して変換する方法である。
【０１４１】
最後に、上述した各画像処理装置の各ブロック、ハードウェアロジックによって構成してもよいし、次のようにＣＰＵを用いてソフトウェアによって実現してもよい。
【０１４２】
すなわち、画像処理装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像処理装置の制御プログラムのプログラムコード（実行形式プログラム、中間コードプログラム、ソースプログラム）をコンピュータで読み取り可能に記録した記録媒体を、上記画像処理装置に供給し、そのコンピュータ（またはＣＰＵやＭＰＵ）が記録媒体に記録されているプログラムコードを読み出し実行することによっても、達成可能である。
【０１４３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４４】
また、画像処理装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【図面の簡単な説明】
【０１４６】
【図１】本発明の実施の形態における画像処理装置としてのカラー画像処理装置を備えたデジタルカラー複合機の構成を示すブロック図である。
【図２】本発明の実施の形態における画像処理装置をコンピュータが備えるプリンタドライバに適用した例を示すブロック図である。
【図３】図３（ａ）は、図１に示したカラー画像処理装置および図２に示したコンピュータのプリンタドライバにおけるプレビュー画像の出力動作を示すフローチャートであり、図３（ｂ）は、図３（ａ）に示した動作に続くプレビュー画像の出力動作を示すフローチャートである。
【図４】本発明の実施の形態における画像処理装置をコンピュータが備えるディスプレイドライバに適用した例を示すブロック図である。
【図５】図５（ａ）は、図４に示したコンピュータにおけるプレビュー画像の出力動作を示すフローチャートであり、図５（ｂ）は、図５（ａ）に示した動作に続くプレビュー画像の出力動作を示すフローチャートである。
【図６】図５（ａ）および図５（ｂ）に示したコンピュータの動作に対応したプリンタの動作を示すフローチャートである。
【図７】図１に示した階調再現処理部において多値ディザ処理により中間調処理を行う際のディザマトリクスの例を示す説明図である。
【図８】図７に示したディザマトリクスを使用した場合の、図１に示した階調再現処理部および表示用階調再現処理部が行うエッジ領域以外の領域（網点領域、下地領域および連続階調領域など）の多値ディザ処理における低濃度から高濃度にかけての出力値の例を示す説明図である。
【図９】図７に示したディザマトリクスを使用した場合の、図１に示した階調再現処理部および表示用階調再現処理部が行うエッジ領域（文字エッジ）の多値ディザ処理における低濃度から高濃度にかけての出力値の例を示す説明図である。
【図１０】図１に示した階調再現処理部において多値ディザ処理により中間調処理を行う際のディザマトリクスの他の例を示す説明図である。
【図１１】図１０に示したディザマトリクスを使用した場合の、図１に示した階調再現処理部および表示用階調再現処理部が行う多値ディザ処理における低濃度から高濃度にかけての出力値の例を示す説明図である。
【図１２】図１に示した表示用階調再現処理部において、８ビットの信号（画像データ）を６ビットの信号に変換する処理を行う場合に使用する変換テーブルの一例を示す説明図である。
【図１３】図１３（ａ）は図１等に示した表示用変倍処理部による拡大前の画像における中間調のパターンの一例を示す説明図であり、図１３（ｂ）は図１３（ａ）の画像を１５０％の表示倍率に拡大をした結果を示す説明図である。
【図１４】図１４（ａ）は図１等に示した表示用変倍処理部による拡大前の元の画像データを示す説明図であり、図１４（ｂ）は図１４（ａ）の画像データを２００％の表示倍率にて拡大した結果の一例を示す説明図である。
【図１５】図１に示した出力階調補正部が行う、画像を印刷して出力する場合の出力階調補正の一色成分についての例を示す説明図である。
【図１６】指示された表示倍率が１００％以上の場合に、図１に示した出力階調補正部がＣＭＹＫ空間にて行う出力階調補正の一色成分についての例を示す説明図である。
【図１７】指示された表示倍率が１００％未満の場合に、図１に示した表示用出力階調補正部がＲＧＢ空間にて行う出力階調補正の一色成分についての例を示す説明図である。
【図１８】指示された表示倍率が１００％以上の場合に、図１に示した表示用出力階調補正部が行う出力階調補正の一色成分についての例を示すものであって、カラー画像出力装置の出力特性をＲＧＢ空間に置き換える出力階調補正を示す説明図である。
【符号の説明】
【０１４７】
１    カラー画像処理装置（画像処理装置）
２    カラー画像入力装置
３    カラー画像出力装置（印刷装置）
４    カラー画像表示装置（画像表示装置）
１６    領域分離処理部
１７    色補正部（色空間変換部）
１８    黒生成下色除去部（色空間変換部）
２１    階調再現処理部（印刷用階調再現処理部）
２２    表示用変換処理部
２３    表示用変倍処理部
２４    表示用出力階調補正部
２５    表示用階調再現処理部
２６    選択部
３１    コンピュータ
３２    プリンタドライバ
３６    画像表示装置
３７    プリンタ（印刷装置）
４１    コンピュータ（端末装置）
４２    プリンタドライバ
４３    ディスプレイドライバ
５１    プリンタ
５２    画像処理部
５３    メモリ
５４    プリンタ制御部
【図１】
2010028477.tif 000004
【図２】
2010028477.tif 000005
【図３】
2010028477.tif 000006
【図４】
2010028477.tif 000007
【図５】
2010028477.tif 000008
【図６】
2010028477.tif 000009
【図７】
2010028477.tif 000010
【図８】
2010028477.tif 000011
【図９】
2010028477.tif 000012
【図１０】
2010028477.tif 000013
【図１１】
2010028477.tif 000014
【図１２】
2010028477.tif 000015
【図１３】
2010028477.tif 000016
【図１４】
2010028477.tif 000017
【図１５】
2010028477.tif 000018
【図１６】
2010028477.tif 000019
【図１７】
2010028477.tif 000020
【図１８】
2010028477.tif 000021